(57)【要約】【課題】  排水路内への雨水等の効率的な排水を行うとともに排水時に土砂等の流入を防止する。【解決手段】  第１主面に畦状の区割り壁１５により区割りして複数の嵌合凹部１４を形成するとともにこれら嵌合凹部１４内に多数個の排水孔１７を形成した鉄筋コンクリート製の蓋本体１１と、粗径素材をレジンを結合材として結合することにより透水性を付与されて各嵌合凹部１４の内部空間と同形の外形を有するプレート体に形成された複数個のレジンコンクリート製の透水プレート体１２とから構成する。【選択図】  図２
0003161679.tif 000002
【実用新案登録請求の範囲】
【請求項１】
排水路を構成する排水路構造体に対して、開口部を閉塞して設置される排水用蓋体であり、
第１主面側において畦状の区割り壁により区割りした複数の嵌合凹部を形成するとともに、これら嵌合凹部内に底面と第２主面に開口する貫通孔からなる複数個の排水孔を形成してなるコンクリート製の蓋本体と、
熱硬化型合成樹脂（レジン）を結合材として粗粒径素材を結合して上記嵌合凹部の内部空間と同形の外形を有するプレート体に形成し、上記粗粒径素材間に生じる間隙により透水性を付与された複数個のレジンコンクリート製の透水プレート体
とから構成され、
上記蓋本体の上記嵌合凹部内にそれぞれ上記排水プレート体を着脱自在に組み付けてなる排水用蓋体。
【請求項２】
路肩に沿って並べて敷設されるＵ字溝ブロック体である上記排水路構造体に対して、天井開口部を閉塞して設置されるＵ字溝蓋体である請求項１に記載の排水用蓋体。
【請求項３】
車道と歩道とを区分するとともに車道側の路肩に沿って敷設された上記排水路構造体に対して開放された天井部を閉塞して設置されるＬ形ブロック体であり、蓋部位が平面に形成された請求項１に記載の排水用蓋体。
【請求項４】
大型水路を構成する三面水路ブロック体やＬ形水路用ブロック体である上記排水路構造体に対して、開放された天井部を閉塞して設置される床版である請求項１に記載の排水用蓋体。
【考案の詳細な説明】
【技術分野】
【０００１】
本考案は、排水路等を構成する各種のブロック体の開口部に設置されて排水路を閉塞する排水路用蓋体に関する。
【背景技術】
【０００２】
様々な場所において、様々な用途の排水路や用水路或いは導水路等（以下、排水路と総称する。）が設けられている。例えば、道路等においては、路肩に沿って各種側溝ブロック体を並べて敷設することにより排水路を構成し、路上から雨水等を排水路内へと排水している。側溝ブロック体には、危険防止等のために開口部を閉塞して蓋体が設置されるとともに、蓋体にスリット等を形成し或いは所定の間隔を以って蓋体に代えてステンレス材等により格子状に形成したグレーチングを設置して雨水等の排水部が設けられる。
【０００３】
また、道路等においては、路肩に沿ってＬ形ブロック体を並べて敷設することにより、歩道と車道との区分が行われる。Ｌ形ブロック体は、歩道と車道との区分機能とともに路肩に沿って敷設した側溝ブロック体や集水桝の蓋体機能を奏することもある。さらに、耕作地等においては、大型の三面水路ブロック体やＬ形水路ブロック体を並べて敷設することにより、用水路や導水路を構成している。三面水路ブロック体やＬ形水路ブロック体にも、危険防止等のために開口部を閉塞して床版が設置されるとともに、これら床版に適宜の排水部が設けられる。なお、側溝ブロック体、三面水路ブロック体、Ｌ形水路ブロック体或いは各種水路体や桝等については、排水路構造体と総称するものとする。また、排水路構造体の天井部分に設置されて蓋体機能を奏する部材については、単に蓋体と称するものとする。
【０００４】
排水路構造体の蓋体においては、上述したように雨水等を排水路内に流入させる排水部が設けられる。排水部は、例えば蓋体に形成した複数のスリットにより構成し、或いは蓋体に開口部を形成するとともにこの開口部にグレーチングを組み付けて構成する。排水部は、雨水等が路面に溜まることなく効率的に排水路へ流入させる機能を有することが必要となる。排水部は、このために大きな開口寸法を有する開口部を形成した場合に、排水路に雨水とともに大量の土砂を流入させてしまう。排水部は、流入した土砂により排水路を詰まらせてしまい、その除去等の保守作業を頻繁に行うようにさせる。
【０００５】
出願人は、特許文献１及び特許文献２により、コンクリート製の蓋本体に形成した開口部にレジンコンクリート製の透水プレート体を組み付けた排水部構造を有する蓋体を備える排水装置を提供した。かかる先願装置の蓋体は、熱硬化型樹脂（レジン）を結合材として玉砂利等の粗径素材を開口部の開口寸法に合わせた形状に結合して透水プレート体を形成する。透水プレート体は、粗径素材がそれぞれの間に間隙を構成して結合され、間隙を介して雨水等を効率よく透水させる。先願装置の蓋体は、排水路内への土砂等の流入を防止し、景観の向上を図る等の機能も有する。
【先行技術文献】
【特許文献】
【０００６】
【特許文献１】特許第４３９１９２２号公報
【特許文献２】特開２００８−１７９９８３号公報
【考案の概要】
【考案が解決しようとする課題】
【０００７】
上述した先願装置の蓋体においては、道路面等から流れ込んでくる土砂を含む雨水等を透水プレート体により雨水だけを排水孔から排水路へと排水させて土砂の流れ込みを防止する。特許文献１においては、補強用の鉄筋を埋設して透水プレート体を成形することにより機械的強度が保持されるように構成してなる。特許文献２においては、底面に開口する排水孔を囲んですり鉢状の凹部を形成し、この凹部内に金網を介して透水プレート体を装填してなる。
【０００８】
先願装置の蓋体においては、蓋本体の一部に凹部を形成するとともに貫通口からなる排水孔を形成し、凹部内に補強材を一体化してなる透水プレート体を組み付けた基本構造である。したがって、先願装置の蓋体においては、限られた領域から雨水等を排水路内へと流し込むために、グレーチングのような大きな開口寸法を有するものとの比較で、排水効率がやや悪いといった問題があった。先願装置の蓋体においては、補強材を一体化して形成することからややコストが高くなる。
【０００９】
したがって、本考案は、路面等から流れ込んでくる雨水等を排水路内へ効率的に排水するとともに排水時に土砂等の流入を防止する廉価な排水路用蓋体を提供することを目的に提案されたものである。
【課題を解決するための手段】
【００１０】
上述した目的を達成する本考案に係る排水路用蓋体は、コンクリート製の蓋本体と、この蓋本体に着脱自在に組み付けられる複数のレジンコンクリート製の透水プレート体とから構成され、排水路を構成する各種の排水路構造体に対してその開口部を閉塞して設置される。排水路用蓋体は、蓋本体が、第１主面側において畦状の区割り壁により区割りした複数の嵌合凹部を形成するとともに、これら嵌合凹部内に底面と第２主面に開口する貫通孔からなる多数個の排水孔を形成してなる。排水路用蓋体は、透水プレート体が、熱硬化型合成樹脂（レジン）を結合材として玉砂利等の比較的大きな粒径を有する粗粒径素材を結合して嵌合凹部の内部空間と同形の外形を有するプレート体に形成してなる。
【００１１】
本考案に係る排水路用蓋体においては、蓋本体を排水路構造体に対して開口部を閉塞して設置し、蓋本体の各嵌合凹部内にそれぞれ透水プレート体を装填して組み付ける。排水路用蓋体においては、透水プレート体が、熱硬化型合成樹脂によって粗粒径素材間に間隙を構成して結合した多孔質体として形成されることにより高透水特性を有する。排水路用蓋体においては、透水プレート体が粗粒径素材間に構成された間隙を介して雨水等を蓋本体の嵌合凹部内へと透水し、この嵌合凹部の底部に形成した排水孔から内部の排水路内へと排水する。排水路用蓋体においては、天井部のほぼ全面を複数個の透水プレート体により構成することから、雨水等を効率よく排水することを可能とする。
【００１２】
本考案に係る排水路用蓋体においては、透水プレート体を透過させて雨水等の排水を行うことにより排水路内への土砂の流入を防止する。排水路用蓋体においては、流入した土砂等による排水路の詰まりを防止して土砂浚い等の保守作業の負担が軽減されるようにする。排水路用蓋体においては、長期間の使用により粗粒径素材間に構成された間隙中に土砂等が詰まって透水特性が低下することがある。排水路用蓋体においては、蓋本体の嵌合凹部から透水プレート体を取り外して洗浄処理を施すことにより、透水特性の機能回復を図ることが可能とされる。
【００１３】
本考案に係る排水路用蓋体は、例えば路肩に沿って並べて敷設されるＵ字溝ブロック体である排水路構造体に対して天井開口部を閉塞して設置されるＵ字溝蓋体に適用される。また、本考案に係る排水路用蓋体は、車道と歩道とを区分するとともに車道側の路肩に沿って敷設された排水路構造体に対して開放された天井部を閉塞して設置されるＬ形ブロック体に適用され、この場合蓋部位が平面に形成される。さらに、本考案に係る排水路用蓋体は、例えば大型水路を構成する三面水路ブロック体やＬ形水路用ブロック体である排水路構造体に対して開放された天井部を閉塞して設置される床版に適用される。
【考案の効果】
【００１４】
本考案に係る排水路用蓋体は、蓋本体の第１主面に畦状の区割り壁によって区割りした複数の嵌合凹部を形成するとともにこれら嵌合凹部内に多数個の排水孔を形成し、各嵌合凹部内に熱硬化型合成樹脂を結合材として粗粒径素材を結合した透水プレート体を着脱自在に組み付けて構成する。水路体用蓋体においては、高透水特性を有する複数個の透水プレート体により天井部のほぼ全面を構成することから、雨水等を水路内に効率よく排水するとともに土砂等の水路内への流入を防止することが可能であり、排水特性や保守性の向上を図ることが可能である。
【図面の簡単な説明】
【００１５】
【図１】本考案に係る排水路用蓋体の実施の形態として示した側溝蓋をＵ字溝ブロック体に設置してなる側溝の要部斜視図である。
【図２】同側溝蓋の分解斜視図である。
【図３】同側溝蓋の断面図である。
【図４】本考案に係る排水路用蓋体の第２の実施の形態として示したＬ形ブロック体の斜視図である。
【図５】本考案に係る排水路用蓋体の第３の実施の形態として示した三面水路用床版を三面水路ブロック体に設置してなる用水路の要部斜視図である。
【考案を実施するための形態】
【００１６】
以下、本考案について、図面に示した実施の形態により、詳細に説明する。第１の実施の形態として図１乃至図３に示した排水路用蓋体は、排水路構造体として示す周知のＵ字溝ブロック体１に設置する側溝蓋１０である。Ｕ字溝ブロック体１は、図１に鎖線で示すように、底壁部２と、この底壁部２の両側縁に沿って一体に立ち上がる側壁部３Ａ、３Ｂ（側壁部３）とにより天井部を開口して内部に排水路４を形成した断面がＵ字状の鉄筋コンクリート製のブロック体である。
【００１７】
Ｕ字溝ブロック体１は、路肩等に沿って掘削された敷設溝内に、所定の勾配を付されて長さ方向に並べられて設置される。Ｕ字溝ブロック体１には、危険防止等を目的として排水路４を閉塞して側溝蓋１０が設置される。Ｕ字溝ブロック体１には、両側壁部３Ａ、３Ｂの上端縁に相対して受け段部５Ａ、５Ｂ（受け段部５）が形成される。Ｕ字溝ブロック体１は、これら受け段部５により設置される側溝蓋１０の幅方向の両側縁を支えることにより排水路４が閉塞されるようにする。
【００１８】
側溝蓋１０は、従来の側溝蓋と同様に、１個のＵ字溝ブロック体１に対して１個が組み付けられる。側溝蓋１０は、詳細を後述する鉄筋コンクリート製の蓋本体１１と、この蓋本体１１に対して着脱自在に組み付けられる複数個（実施の形態では２個）のレジンコンクリート製の透水プレート体１２とから構成される。
【００１９】
蓋本体１１は、図３に示すように内層に多数本の鉄筋１３を縦横に組んで形成されることにより、所定の機械的強度を有するプレート状のブロック体である。蓋本体１１は、図１に示すようにＵ字溝ブロック体１の長さとほぼ等しい長さと、受け段部５の相対する内面間の間隔とほぼ等しい横と、受け段部５の高さとほぼ等しい厚みを以って形成される。蓋本体１１には、図２に示すように第１主面１１Ａ側において、長さ方向に並んで２つの透水プレート体嵌合凹部１４Ａ、１４Ｂ（嵌合凹部１４）が形成される。
【００２０】
２つの嵌合凹部１４Ａ、１４Ｂは、畦状の区割り壁１５により２つの領域に区割りされた第１主面１１Ａにそれぞれ段落ち凹部として形成される。２つの嵌合凹部１４Ａ、１４Ｂは、互いに同形に形成される。なお、区割り壁１５は、蓋本体１１の成形時において良好な型抜きが行われるように、図３に示すように内周壁を底面部に向かって次第に傾斜する傾斜壁とする抜き勾配が付されて形成される。
【００２１】
嵌合凹部１４は、それぞれの底面部１６Ａ、１６Ｂ（底面部１６）が平坦面に形成されるとともに、底面部１６Ａに開口してそれぞれ多数個の排水孔１７Ａ、１７Ｂ（排水孔１７）が形成される。なお、排水孔１７は、図３に示すように嵌合凹部１４の底面部１６Ａから第２主面１１Ｂに貫通する所定の孔径を有する貫通孔からなり、底面部１６Ａに全域に分布するように配置されて形成される。
【００２２】
蓋本体１１は、第２主面１１Ｂ側が全体平坦面に形成され、幅方向の両側縁に沿った部位が、上述したように側溝蓋１０をＵ字溝ブロック体１に組み付けた状態において受け段部５上に支持される。蓋本体１１は、第２主面１１Ｂ側に、成形型からの取り出しや運搬時等の際に使用されるフック１８がその一端側を埋設されて設けられる。
【００２３】
なお、蓋本体１１は、排水孔１７について、所定の機械的強度が保持される範囲で、多数のスリット状の貫通溝により構成してもよい。蓋本体１１は、設置したＵ字溝ブロック体１からの取り外しが容易に行われるようにするために、例えば長さ方向の両側縁に手掛け凹部を形成してもよい。
【００２４】
透水プレート体１２は、熱硬化型樹脂（レジン）、例えば比較的廉価で硬化時間の調整が可能な不飽和ポリエステル樹脂を結合材とし、骨材として玉砂利等の比較的大きな粒径を有する粗粒径素材が用いられ、不飽和ポリエステル樹脂により粗粒径素材を結合して所定の形状に形成される。透水プレート体１２は、嵌合凹部１４の内部空間とほぼ同形の外形を有するプレート体として形成される。透水プレート体１２は、粗粒径素材が多くの間隙を構成して熱硬化型樹脂により結合されることにより、多孔質体として形成される。透水プレート体１２は、粗粒径素材間に構成された間隙を介して雨水等を効率よく透過させる特性を有する。
【００２５】
なお、透水プレート体１２は、結合材として上述した不飽和ポリエステル樹脂に限定されないことは勿論であり、例えばエポキシ系樹脂やウレタン系樹脂等の舗装用接着樹脂材を用いてもよい。また、透水プレート体１２は、骨材となる粗粒径素材として用いる玉砂利としていわゆる色付き玉砂利等の鉄筋コンクリート製の蓋本体１１と異なる色調の粗粒径素材を用いることが好ましい。透水プレート体１２は、粗粒径素材として玉砂利に限定されないことは勿論であり、透水性を有するレジンコンクリート製のプレート体等を形成する際に用いる各種の粗粒径素材を用いることが可能である。透水プレート体１２は、粗粒径素材として、例えばセラミック玉やガラス玉等を用いることも可能である。
【００２６】
透水プレート体１２は、例えば蓋本体１１をＵ字溝ブロック体１に設置した状態で、蓋本体１１の嵌合凹部１４内にそれぞれ装填する。透水プレート体１２は、比較的大型である程度の重量を有しており外周部を区割り壁１５により保持されることから、特に固定手段を不要として嵌合凹部１４内に装填しても人が歩行する際に嵌合凹部１４内において移動することは無い。透水プレート体１２は、例えば車輌が通過するような振動等が大きな箇所においては、底面側に適宜の接着剤を塗布した状態で嵌合凹部１４内に装填するようにしてもよい。
【００２７】
透水プレート体１２は、上述したように嵌合凹部１４の内部空間とほぼ同一外形に形成されることにより、区割り壁１５と共同して蓋本体１１の第１主面１１Ａ、すなわち側溝蓋１０の上面を平坦面とする。したがって、透水プレート体１２は、嵌合凹部１４の開口縁との境で歩行者を躓かせることは無い。
【００２８】
側溝蓋１０は、上述したように蓋本体１１に対して、透水プレート体１２を嵌合凹部１４内に装填して構成する。側溝蓋１０は、蓋本体１１が、例えば路肩に沿って掘削した敷設溝内に敷設したＵ字溝ブロック体１に対して排水路４を閉塞して設置される。側溝蓋１０は、この状態で蓋本体１１に対して透水プレート体１２を嵌合凹部１４内にそれぞれ装填する。側溝蓋１０は、表面となる蓋本体１１の第１主面１１Ａにおいて嵌合凹部１４を区割りした区割り壁１５が存在しているものの、当該第１主面１１Ａのほぼ全面が嵌合凹部１４に組み付けた透水プレート体１２により構成される。
【００２９】
側溝蓋１０は、蓋本体１１と透水プレート体１２が段差の無い表面を構成することにより、歩行者が躓くことも無く安全に歩行することが可能である。側溝蓋１０は、従来のように水抜き用のグレーチングを不要とすることで、歩行者の踵が水抜き孔に入り込ませるといった事態を生じさせることは無い。側溝蓋１０は、適宜の色合いの粗粒径素材を用いることにより路肩に沿って色彩豊かな側溝を構成し、道路の景観向上を図ることを可能とする。
【００３０】
側溝蓋１０においては、道路面に降った雨水等が蓋本体１１の第１主面１１Ａ上に流れ込んでくる。側溝蓋１０においては、上述したように透水プレート体１２が熱硬化型合成樹脂によって粗粒径素材間に間隙を構成して結合した多孔質体として形成されることにより高透水特性を有している。側溝蓋１０においては、蓋本体１１に透水プレート体１２を嵌合する複数の嵌合凹部１４を形成するとともに、これら嵌合凹部１４内に貫通孔からなる多数個の排水孔１７を形成する。
【００３１】
側溝蓋１０においては、透水プレート体１２が、路面等から流れ込んできた雨水等を粗粒径素材間に構成された間隙を介して嵌合凹部１４の底面部１６へと効率よく透水する。側溝蓋１０においては、蓋本体１１が、透水プレート体１２内を透水して嵌合凹部１４内へと流れ落ちてくる雨水等を多数個の排水孔１７から排水路４へと排水する。側溝蓋１０においては、透水プレート体１２が、雨水等とともに流れ込んできた土砂等の排水路４への流入を防止する。側溝蓋１０においては、流入した土砂等による排水路４の詰まりを防止することから、土砂浚い等の保守作業の負担が軽減されるようにする。
【００３２】
側溝蓋１０においては、長期間の使用により粗粒径素材間に構成された間隙中に土砂等が詰まって透水プレート体１２の透水特性が低下する。側溝蓋１０においては、蓋本体１１の嵌合凹部１４内から透水プレート体１２を取り外して洗浄処理を施すことにより、透水特性の機能回復を図ることが可能とされる。なお、側溝蓋１０は、定期的に透水プレート体１２を交換するようにしてもよい。
【００３３】
図４は、本考案に係る排水路用蓋体の第２の実施の形態として示すＬ形ブロック体２０である。Ｌ形ブロック体２０は、従来のＬ形ブロック体と同様に車道側の路肩に沿って掘削された敷設溝内に敷設されたＵ字溝ブロック体１に対して排水路４を閉塞して設置される。Ｌ形ブロック体２０も、従来のＬ形ブロック体と同様に、車道と歩道とを区分するとともに、車道側から流れ込む雨水等を堰き止めて歩道側への浸入を防止し排水路４内へと排水する。
【００３４】
Ｌ形ブロック体２０も、鉄筋コンクリート製のブロック本体２１と、このブロック本体２１に対して着脱自在に組み付けられるレジンコンクリート製の透水プレート体２２Ａ、２０Ｂ（透水プレート体２２）とから構成される。ブロック本体２１は、蓋体部２３と、区分壁部２４とから構成される。ブロック本体２１は、蓋体部２３が上述した側溝蓋１０の蓋本体１１とほぼ同等に形成されたプレート状のブロック体部位であり、この蓋体部２３の一方の側縁部に沿って長さ方向の全域に亘って区分壁部２４が一体に立ち上がり形成されることにより全体Ｌ形を呈している。
【００３５】
蓋体部２３も、図示を省略するが内層に多数本の鉄筋を縦横に組んで形成されることにより、所定の機械的強度を有している。蓋体部２３も、Ｕ字溝ブロック体１の長さとほぼ等しい長さと、受け段部５の相対する内面間の間隔とほぼ等しい横と、受け段部５の高さとほぼ等しい厚みを以って形成される。蓋体部２３にも、詳細を省略するが第１主面２３Ａ側において、長さ方向に並んで２つの透水プレート体嵌合凹部２５Ａ、２５Ｂ（嵌合凹部２５）が形成される。
【００３６】
蓋体部２３にも、２つの嵌合凹部２５Ａ、２５Ｂが、畦状の区割り壁２６により２つの領域に区割りした第１主面２３Ａにそれぞれ互いに同形の段落ち凹部として形成される。蓋体部２３は、嵌合凹部２５を形成した第１主面２３Ａが、後述するように透水プレート体２２を組み付けた状態で全面を平面形状により形成されている。すなわち、蓋体部２３は、従来のＬ形ブロック体のように歩道側に向かう傾斜面が付されていない構造であり、歩行者が境界部位において足を滑らせることなく安全に歩行することを可能とする。
【００３７】
嵌合凹部２５も、図示を省略するがそれぞれの底面部が平坦面に形成されるとともに、底面部に開口してそれぞれ多数個の排水孔が形成される。排水孔も、嵌合凹部２５の底面部から第２主面２３Ｂに貫通する所定の孔径を有する貫通孔からなり、底面部に全域に分布するように配置されて形成される。なお、蓋体部２３にも、成形時において良好な型抜きが行われるように、区割り壁２６の内周壁が底面部に向かって次第に傾斜する傾斜壁とする抜き勾配を付して嵌合凹部２５を形成する。
【００３８】
ブロック本体２１は、上述したように蓋体部２３の側縁部に沿って区分壁部２４が一体に立ち上がり形成されている。区分壁部２４は、従来のＬ形ブロック体に形成された区分壁部と同一仕様を以って形成され、所定の高さを有して歩道と車道とを区分するとともに歩道内への車輌の進入を阻止する機能を奏する。なお、区分壁部２４については、Ｌ形ブロック体２０が例えば交差点等に設置されるものである場合に、低い高さでかつ車道側から歩道側に向かって緩やかな傾斜が付されて形成される。
【００３９】
Ｌ形ブロック体２０は、上述したブロック本体２１の蓋体部２３に形成した嵌合凹部２５内に透水プレート体２２が装填される。透水プレート体２２も、上述した側溝蓋１０の透水プレート体１２と同等に形成された高透水性を有するプレート体である。透水プレート体２２も、熱硬化型樹脂を結合材として玉砂利等の比較的大きな粒径を有する粗粒径素材を結合してなり、嵌合凹部２５の内部空間とほぼ同形の外形を有して形成される。透水プレート体２２は、粗粒径素材間に多くの間隙が構成されることにより、多孔質体として形成される。
【００４０】
なお、透水プレート体２２も、結合材として各種の舗装用接着樹脂材が用いられ、また粗粒径素材として玉砂利やセラミック玉或いはガラス玉等が用いられる。透水プレート体２２は、Ｌ形ブロック体２０と側溝蓋１０が共用されるＵ字溝ブロック体１に用いる場合に、共用部材として形成したものであってもよい。
【００４１】
透水プレート体２２も、ブロック本体２１をＵ字溝ブロック体１に設置した状態で、ブロック本体２１の嵌合凹部２５内にそれぞれ装填する。透水プレート体２２は、比較的大型である程度の重量を有しており外周部を区割り壁２６により保持されることから、特に固定手段を不要として嵌合凹部２５内に装填しても移動することは無い。透水プレート体２２は、底面側に適宜の接着剤を塗布した状態で嵌合凹部２５内に装填するようにしてもよいことは勿論である。
【００４２】
透水プレート体２２は、上述したように嵌合凹部２５の内部空間とほぼ同一外形に形成されることにより、区割り壁２６と共同して蓋体部２３の第１主面２３Ａ、すなわちＬ形ブロック体２０の上面を平坦面とする。したがって、透水プレート体２２は、嵌合凹部２５の開口縁との境で段差を生じさせることは無い。
【００４３】
Ｌ形ブロック体２０は、上述したようにブロック本体２１の蓋体部２３に対して、透水プレート体２２を嵌合凹部２５内に装填して構成する。Ｌ形ブロック体２０も、ブロック本体２１が、例えば路肩に沿って掘削した敷設溝内に敷設したＵ字溝ブロック体１に対して排水路４を閉塞して設置されることにより、車道と歩道とを区分する。Ｌ形ブロック体２０は、この状態でブロック本体２１の蓋体部２３に対して透水プレート体２２を嵌合凹部２５内にそれぞれ装填する。
【００４４】
Ｌ形ブロック体２０も、表面となる蓋体部２３の第１主面２３Ａにおいて嵌合凹部２５を区割りした区割り壁２６が存在しているものの、当該第１主面２３Ａのほぼ全面が嵌合凹部２５に組み付けた透水プレート体２２により段差の無い表面を構成する。Ｌ形ブロック体２０は、従来のように水抜き用のグレーチングを不要とし、適宜の色合いの粗粒径素材を用いることにより路肩に沿って色彩豊かな側溝を構成し、道路の景観向上を図ることを可能とする。
【００４５】
Ｌ形ブロック体２０においては、道路面に降った雨水等がブロック本体２１の蓋体部２３の第１主面２３Ａ上に流れ込んでくる。Ｌ形ブロック体２０においては、区分壁部２４により雨水等が歩道側に流れ込むことを阻止する。Ｌ形ブロック体２０においては、嵌合凹部２５内に装填された高透水特性を有する透水プレート体２２が、蓋体部２３上に流れ込んでくる雨水等を嵌合凹部２５の底面部へと効率よく透水する。
【００４６】
Ｌ形ブロック体２０においては、ブロック本体２１が、透水プレート体２２を介して嵌合凹部２５内に透水された雨水等を多数個の排水孔から排水路４へと排水する。Ｌ形ブロック体２０においては、透水プレート体２２が、雨水等とともに流れ込んできた土砂等の排水路４への流入を防止する。Ｌ形ブロック体２０においては、流入した土砂等による排水路４の詰まりを防止することから、土砂浚い等の保守作業の負担が軽減されるようにする。
【００４７】
Ｌ形ブロック体２０においては、長期間の使用により粗粒径素材間に構成された間隙中に土砂等が詰まって透水プレート体２２の透水特性が低下する。Ｌ形ブロック体２０においては、ブロック本体２１の嵌合凹部２５内から透水プレート体２２を取り外して洗浄処理を施すことにより、透水特性の機能回復を図ることが可能とされる。なお、Ｌ形ブロック体２０においても、定期的に透水プレート体２２を交換するようにしてもよい。
【００４８】
図５は、本考案に係る排水路用蓋体の第３の実施の形態として示す床版３０である。大きな流量が流れる用水路３１は、大きな溝幅を以って掘削された敷設溝内に、排水路構造体である大型の三面水路ブロック体やＬ形水路用ブロック体を敷設して構成される。例えば、三面水路ブロック体３２は、周知のように、側壁３３と底版の一部を構成する図示しない底壁とを一体に形成した断面Ｌ字状のブロック体であり、敷設溝の内壁に沿って互いに対向して敷設される。三面水路ブロック体３２は、相対する底壁間を現場打ち鉄筋コンクリートにより形成した底版により連結してなる。したがって、三面水路ブロック体３２は、水路幅を調整可能とする施工を行う。
【００４９】
床版３０は、図５に示すように相対する三面水路ブロック体３２Ａ、３２Ｂ間に跨って設置されることにより、用水路３１を閉塞する。床版３０は、三面水路ブロック体３２Ａ、３２Ｂの側壁３３Ａ、３３Ｂの上端縁に形成した受け段部３４Ａ、３４Ｂ上に幅方向の両側縁を支えられて設置されることにより用水路３１を閉塞する。なお、床版３０は、１組の三面水路ブロック体３２Ａ、３２Ｂに対して１個を組み付けるが、大型の三面水路ブロック体３２の場合には複数個を組み付けるようにしてもよく、また小型の三面水路ブロック体３２の場合には複数組に対して１個を組み付けるようにしてもよい。
【００５０】
床版３０は、鉄筋コンクリート製の床版本体３５と、この床版本体３５に対して着脱自在に組み付けられる複数個（実施の形態では６個）のレジンコンクリート製の透水プレート体３６Ａ〜３６Ｆ（透水プレート体３６）とから構成される。床版本体３５も、詳細を省略するが内層に多数本の鉄筋を縦横に組んで形成されることにより、所定の機械的強度を有するプレート状のブロック体である。床版本体３５は、１個の三面水路ブロック体３２の相対する側壁３３Ａ、３３Ｂの間隔とほぼ等しい横幅と、受け段部３４の高さとほぼ等しい厚みを以って形成される。
【００５１】
床版３０には、図５に示すように床版本体３５の第１主面３５Ａ側において、長さ方向に２列に並んで６個の透水プレート体嵌合凹部３７Ａ〜３７Ｆ（嵌合凹部３７）が形成される。嵌合凹部３７は、畦状の区割り壁３８により６つの領域に区割りされた第１主面３５Ａにそれぞれ互いに同形の段落ち凹部として形成される。嵌合凹部３７も、床版３０の成形時において良好な型抜きが行われるように、区割り壁３８が底面部に向かって次第に傾斜する抜き勾配を付した傾斜壁とされる。
【００５２】
嵌合凹部３７は、図示を省略するが上述した側溝蓋１０と同様にそれぞれの底面部が平坦面に形成されるとともに、底面部に開口してそれぞれ多数個の排水孔が形成される。なお、排水孔は、嵌合凹部３７の底面部から第２主面３５Ｂに貫通する所定の孔径を有する貫通孔からなり、底面部に全域に分布するように配置されて形成される。排水孔は、床版本体３５が所定の機械的強度に保持される範囲で、多数のスリット状の貫通溝により構成してもよい。
【００５３】
床版本体３５も、第２主面３５Ｂ側が全体平坦面に形成され、幅方向の両側縁に沿った部位が、床版３０を三面水路ブロック体３２に設置した状態において受け段部３４上に支持される。なお、床版本体３５にも、蓋本体１１と同様に第２主面３５Ｂ側において、成形型からの取り出しや運搬時等の際に使用されるフックがその一端側を埋設されて設けられる。また、床版本体３５も、三面水路ブロック体３２からの取り外しが容易に行われるようにするために、例えば長さ方向の両側縁に手掛け凹部を形成してもよい。
【００５４】
床版３０は、上述した床版本体３５に形成した嵌合凹部３７内に透水プレート体３６が装填される。透水プレート体３６も、上述した側溝蓋１０の透水プレート体１２と同等に形成された高透水性を有するプレート体である。透水プレート体３６も、熱硬化型樹脂を結合材として玉砂利等の比較的大きな粒径を有する粗粒径素材を結合してなり、嵌合凹部３７の内部空間とほぼ同形の外形を有して形成される。透水プレート体３６も、粗粒径素材間に多くの間隙が構成されることにより、多孔質体として形成される。なお、透水プレート体３６も、結合材として各種の舗装用接着樹脂材が用いられ、また粗粒径素材として玉砂利やセラミック玉或いはガラス玉等が用いられる。
【００５５】
透水プレート体３６は、床版本体３５を三面水路ブロック体３２に設置した状態で、床版本体３５の嵌合凹部３７内にそれぞれ装填する。透水プレート体３６は、比較的大型である程度の重量を有しており外周部を区割り壁３８により保持されることから、特に固定手段を不要として嵌合凹部３７内に装填しても移動することは無い。透水プレート体３６は、底面側に適宜の接着剤を塗布した状態で嵌合凹部３７内に装填するようにしてもよいことは勿論である。
【００５６】
透水プレート体３６は、上述したように嵌合凹部３７の内部空間とほぼ同一外形に形成されることにより、区割り壁３８と共同して床版本体３５の第１主面３５Ａ、すなわち床版３０の上面を平坦面とする。したがって、透水プレート体３６は、嵌合凹部３７の開口縁との境で段差を生じさせることは無い。
【００５７】
床版３０は、上述したように床版本体３５に対して、透水プレート体３６を嵌合凹部３７内に装填して構成する。床版３０は、表面となる床版本体３５の第１主面３５Ａにおいて嵌合凹部３７を区割りした区割り壁３８が存在しているものの、当該第１主面３５Ａのほぼ全面が嵌合凹部３７に組み付けた透水プレート体３６により段差の無い表面を構成する。床版３０は、従来のように水抜き用のグレーチングを不要とし、適宜の色合いの粗粒径素材を用いることにより用水路３１を閉塞して色彩豊かな景観向上を図ることを可能とする。
【００５８】
床版３０においては、嵌合凹部３７内に装填された高透水特性を有する透水プレート体３６が、雨水等を嵌合凹部３７の底面部へと効率よく透水する。床版３０においては、床版本体３５が、嵌合凹部３７内に透水された雨水等を多数個の排水孔から用水路３１へと排水する。床版３０においては、透水プレート体３６が、雨水等とともに流れ込んできた土砂等の用水路３１への流入を防止する。床版３０においては、流入した土砂等による用水路３１の詰まりを防止することから、土砂浚い等の保守作業の負担が軽減されるようにする。
【００５９】
床版３０においては、長期間の使用により粗粒径素材間に構成された間隙中に土砂等が詰まって透水プレート体３６の透水特性が低下する。床版３０においては、床版本体３５の嵌合凹部３７内から透水プレート体３６を取り外して洗浄処理を施すことにより、透水特性の機能回復を図ることが可能とされる。なお、床版３０においても、定期的に透水プレート体３６を交換するようにしてもよい。
【００６０】
床版３０においては、上述したように床版本体３５の第１主面３５Ａを区割り壁３８によって６個の領域に区割りしてそれぞれに嵌合凹部３７を形成したが、かかる構成に限定されないことは勿論である。床版３０においては、小型仕様の場合には少数の嵌合凹部３７を形成し、大型仕様の場合にはより多くの嵌合凹部３７を形成する。また、床版３０においては、大型仕様であっても少数であっても大きな嵌合凹部３７を形成するようにしてもよい。
【００６１】
床版３０においては、床版本体３５に対して全て同一仕様の透水プレート体３６を嵌合凹部３７に装填して構成する必要は無い。床版３０においては、嵌合凹部３７に対して例えば異なる色調の透水プレート体３６を装填することにより、モザイク状の表面を構成するようにしてもよい。床版３０においては、用水路３１を構成する三面水路ブロック体３２やＬ形水路用ブロック体に設置されることにより、独自の景観を生成するとともに透水プレート体３６により歩行感を高めた遊歩道等を構成することが可能である。
【００６２】
なお、本考案は、図面を参照して説明した上述した実施の形態に限定されるものではなく、添付の特許請求の範囲及びその要旨を逸脱することなく、様々な変更、置換或いは同等に構成されることは当業者にとって明らかである。
【符号の説明】
【００６３】
１  Ｕ字溝ブロック体、４  排水路、１０  側溝蓋、１１  蓋本体、１２  透水プレート体、１４  透水プレート体嵌合凹部、１５  区割り壁、１６  底面部、１７  排水孔、２０  Ｌ形ブロック体、２１  ブロック本体、２２  透水プレート体、２３  蓋体部、２４  区分壁部、２５  透水プレート体嵌合凹部、２６  区割り壁、３０  床版、３１  用水路、３２  三面水路ブロック体、３５  床版本体、３６  透水プレート体、３７  透水プレート体嵌合凹部、３８  区割り壁
【図１】
0003161679.tif 000003
【図２】
0003161679.tif 000004
【図３】
0003161679.tif 000005
【図４】
0003161679.tif 000006
【図５】
0003161679.tif 000007